(57)【要約】【課題】ペーパーに皺や折れ目を付けることなく、起立状に支持可能なペーパースタンドを提供する。【解決手段】枢支ピンを介して枢着されると共に、相互に共働きしてペーパーＰを挟持する第１挟持部材１及び第２挟持部材２を備えたペーパースタンドであって、枢支ピンの軸心廻りに回転力を付与して、第１挟持部材１及び上記第２挟持部材２に挟持力を発生させるスプリングを有し、第１挟持部材１は、上記ペーパーＰの背面を支持する平坦面11ａを有する中央壁部11、及び、中央壁部11の左右側辺から前方へ折曲げ状に延設した傾斜状の耳壁部12，12を有し、第２挟持部材２は、ペーパーＰの前面に当接して、平坦面11ａに押圧する平坦な押圧面21ａを背面に有する。【選択図】図１
2011025413.tif 000002
【特許請求の範囲】
【請求項１】
枢支ピン（３）を介して枢着されると共に、相互に共働きしてペーパー（Ｐ）を挟持する第１挟持部材（１）及び第２挟持部材（２）を備えたペーパースタンドであって、
上記枢支ピン（３）の軸心（Ｌ）廻りに回転力を付与して、上記第１挟持部材（１）及び上記第２挟持部材（２）に挟持力を発生させるスプリング（５）を有し、
上記第１挟持部材（１）は、上記ペーパー（Ｐ）の背面を支持する平坦面（11ａ）を有する中央壁部（11）、及び、上記中央壁部（11）の左右側辺から前方へ折曲げ状に延設した傾斜状の耳壁部（12）（12）を有し、
上記第２挟持部材（２）は、上記ペーパー（Ｐ）の前面に当接して、上記平坦面（11ａ）に押圧する平坦な押圧面（21ａ）を背面（２ａ）に有することを特徴とするペーパースタンド。
【請求項２】
上記枢支ピン（３）が挿通される上記第２挟持部材（２）の枢支孔（23ａ）を長孔に形成して、上記第２挟持部材（２）を上記第１挟持部材（１）に対してスライド自在に設けた請求項１記載のペーパースタンド。
【請求項３】
上記スプリング（５）は、上記平坦面（11ａ）方向へ上記押圧面（21ａ）を弾発付勢して、上記第２挟持部材（２）のスライドを無段階に停止可能な摩擦力を発生させる停止機能を兼備している請求項２記載のペーパースタンド。
【発明の詳細な説明】
【技術分野】
【０００１】
本発明は、ペーパースタンドに関する。
【背景技術】
【０００２】
従来、ペーパースタンドは、凹状受け面及び凸状押さえ面で挟持して、ペーパーを屈曲させて起立支持していた（特許文献１参照）。
【先行技術文献】
【特許文献】
【０００３】
【特許文献１】特開平１１−２８８８５号公報
【発明の概要】
【発明が解決しようとする課題】
【０００４】
しかし、凹状受け面と凸状押さえ面で挟持すると、ペーパーに、皺や折れ目がついてしまうという問題があった。また、平坦面同士で挟持した場合は、ペーパーにコシ（張り）を付与できす、起立状に支持できないという問題があった。
【０００５】
そこで、本発明は、ペーパーに皺や折れ目を付けることなく、起立状に支持可能なペーパースタンドの提供を目的とする。
【課題を解決するための手段】
【０００６】
上記目的を達成するために、本発明のペーパースタンドは、枢支ピンを介して枢着されると共に、相互に共働きしてペーパーを挟持する第１挟持部材及び第２挟持部材を備えたペーパースタンドであって、上記枢支ピンの軸心廻りに回転力を付与して、上記第１挟持部材及び上記第２挟持部材に挟持力を発生させるスプリングを有し、上記第１挟持部材は、上記ペーパーの背面を支持する平坦面を有する中央壁部、及び、上記中央壁部の左右側辺から前方へ折曲げ状に延設した傾斜状の耳壁部を有し、上記第２挟持部材は、上記ペーパーの前面に当接して、上記平坦面に押圧する平坦な押圧面を背面に有するものである。
【０００７】
また、上記枢支ピンが挿通される上記第２挟持部材の枢支孔を長孔に形成して、上記第２挟持部材を上記第１挟持部材に対してスライド自在に設けたものである。
また、上記スプリングは、上記平坦面方向へ上記押圧面を弾発付勢して、上記第２挟持部材のスライドを無段階に停止可能な摩擦力を発生させる停止機能を兼備しているものである。
【発明の効果】
【０００８】
本発明のペーパースタンドによれば、書類等のペーパーに皺や折り目をつけることなく、確実に支持できる。ペーパーを、皺や折り目をつけることなく湾曲状に保持して、起立状に支持できる。
【図面の簡単な説明】
【０００９】
【図１】本発明の実施の形態を示す斜視図である。
【図２】本発明の実施の形態を示す正面図である。
【図３】本発明の実施の形態を示す側面図である。
【図４】図３のＡ方向矢視図である。
【図５】作用を説明する側面図である。
【図６】作用を説明する要部拡大断面図である。
【図７】作用を説明する側面図である。
【図８】作用を説明する側面図である。
【図９】他の実施の形態を示す図であり、（ａ）は正面図であり、（ｂ）は側面図であり、（ｃ）は（ａ）のＢ−Ｂ断面図である。
【発明を実施するための形態】
【００１０】
以下、図示の実施の形態に基づき本発明を詳説する。
図１に示すように、本発明のペーパースタンドは、相互に共働きしてペーパーＰを挟持する第１挟持部材１及び第２挟持部材２を備えている。
図２乃至図４に示すように、第１挟持部材１及び第２挟持部材２は枢支ピン３を介して枢着されている。
第１挟持部材１は、ペーパーＰの背面に当接して支持する平坦面11ａを有する中央壁部11と、中央壁部11の左右側辺から前方へ折曲げ状に左右外方へ延設した（傾斜面12ａ，12ａを有する）一対の傾斜（突片）状の耳壁部12，12と、中央壁部11の背面から下方傾斜状に後方へ突設される側面視Ｌ字状の後脚部13と、後脚部13から前方へ突設されると共に枢支ピン３が差し込まれる枢着孔14ａを有する突部14と、を備えている。また、後脚部13の下面には、半球凸状の滑り止め部材30を突設させている。
【００１１】
第２挟持部材２は、ペーパーＰの前面に当接して平坦面11ａに押圧する平坦な押圧面21ａを有する押圧壁部21と、押圧壁部21から下方に延設されると共に押圧面21ａと面一状の摺動面22ａを有する前脚部22と、を備えている。つまり、第２挟持部材２の背面２ａに、押圧面21ａと摺動面22ａとを有している。さらに、第２挟持部材２は、背面２ａから後方へ突設され、枢支ピン３が挿通される枢支孔23ａを有する突片部23を備えている。また、前脚部22の下端には、半球凸状の滑り止め部材30を突設させている。また、第１挟持部材１に、第２挟持部材２の突片部23が挿通する逃がし用の窓部15を貫設している。
【００１２】
押圧面21ａの第２左右幅寸法Ｗ２は、平坦面11ａの第１左右幅寸法Ｗ１未満に形成している。言い換えると、平坦面11ａの第１左右幅寸法Ｗ１は、押圧面21ａの第２左右幅寸法Ｗ２を越える大きさに形成している。また、平坦面11ａと傾斜面12ａの間の傾斜折れ角度θを１１０度を越える角度から１７０度未満の範囲、より具体的には１２０度〜１６０度の範囲に設定している。このように設定することでペーパーＰに適切な張りやコシを付与できる。
【００１３】
枢支孔23ａは、側面視で、背面２ａ（押圧面21ａ及び摺動面22ａ）に平行方向に長孔に形成し、第２挟持部材２を第１挟持部材１に対してスライド自在可能としている。言い換えると、第１挟持部材１に取着した枢支ピン３が、第２挟持部材２の枢支孔23ａ内で往復（スライド）移動可能に設けられている。また、長孔の枢支孔23ａは、スライド用のガイド孔とも言える。
【００１４】
枢支孔23ａの長手方向の長さ寸法がスライド寸法に対応し、第２挟持部材２をスライドさせることで、図７及び図８に示すように、押圧面21ａが上下方向に平坦面11ａを摺動すると共に、前脚部22が上下方向にスライドして、設置面Ｇと平坦面11ａの間の角度であるペーパースタンドの支持傾倒角度αが変更可能に構成されている。
即ち、支持傾倒角度αを調節自在に構成している。具体的には、支持傾倒角度αが９５度から１３０度の範囲で調節可能に、枢支孔（ガイド孔）23ａを設けている。
【００１５】
また、第１挟持部材１の突部14と第２挟持部材２の突片部23は、枢支ピン３によって枢着されている。第１挟持部材１及び第２挟持部材２は、枢支ピン３の軸心Ｌ廻りに揺動自在に枢着されている。
枢支ピン３には、巻設状に、枢支ピン３の軸心Ｌ廻りに回転力を付与して、第１挟持部材１及び第２挟持部材２に挟持力を発生させるスプリング５を設けている。
【００１６】
スプリング５は、捩じりコイルバネから成る。スプリング５の一方端５ａは、第２挟持部材２の背面２ａ（の内の摺動面22ａ）に当接され、他方端５ｂは後脚部13の前面側に当接している。一方端５ａは、側面視で、背面２ａに平行状に当接するように（沿うように）折曲げ形成されている。
【００１７】
そして、スプリング５は、その一方端５ａが第２挟持部材２を押圧する力（弾発的圧接力）Ｆ５を利用して、第２挟持部材２と一方端５ａの間に、摩擦力を発生させている。
【００１８】
第２挟持部材２を下方へ（枢支ピン３を上方へ）スライドさせると、第１挟持部材１等の重さ（自重）により（或いは、外力によって）、枢支ピン３を下方へスライドさせるような、図３に示した姿勢（状態）に戻ろうとする力Ｆ１が発生する。
そこで、スプリング５が第２挟持部材２を押圧する力Ｆ５を利用して、スプリング５の一方端５ａと第２挟持部材２の背面２ａ間に、上述の戻ろうとする力Ｆ１を受ける摩擦力（自重に負けない摩擦力）を発生させ、第２挟持部材２のスライドを無段階に停止可能としている。
即ち、スプリング５は、平坦面11ａ方向へ押圧面21ａを弾発付勢して挟持力を発生させる押圧機能（挟持力発生機能）と、第２挟持部材２のスライドを無段階に停止可能な摩擦力を発生させる停止機能（停止用摩擦力発生機能）と、を兼備している。
【００１９】
また、図１及び図４に於て、第２挟持部材２の前面に表示部20を設けている。表示部20は、カレンダーＫや写真等を収納して表示可能に形成されている。表示部20は、カレンダーＫや写真等を上方から差し込み可能かつ、前後左右方向に移動を規制して係止可能な左右一対の凹溝20ａ，20ａを有している。また、上方への抜け止め用の膨出部20ｂを有している。
【００２０】
なお、本発明に於て、「前」とは、ペーパーＰの表示面側であり、「ペーパーＰの表示面」とは、使用者が視認したい又は、他者へ視認させたい側の面を呼ぶ。また、「ペーパーＰ」とは、天然紙、人工紙、和紙、画用紙、はがき、レター、写真、樹脂製フィルム材、複合フィルム材、金属箔等、箔状乃至薄肉板状に形成されたものを言う。
【００２１】
上述した実施の形態のペーパースタンドの使用方法（作用）について説明する。
図５に示すように、第１挟持部材１の後脚部13の下端と、第２挟持部材２の前脚部22の下端を接近させるように挟持することで、平坦面11ａと押圧面21ａが離間し、挟持用の開口部８が形成される。
【００２２】
開口部８にペーパーＰを差込み、後脚部13と前脚部22の接近を解除する。すると、図６に示すように、押圧面21ａがペーパーＰの前面に当接して平坦面11ａ方向に押圧する。ペーパーＰは、押圧面21ａと平坦面11ａの間で挟持される。
さらに、押圧面21ａより左右方向に突出した部分のペーパーＰの背面が、左右の耳壁部12，12の傾斜面12ａ，12ａに当接し、ペーパーＰの左側縁下部・右側縁下部が各々前方突出状として、背面から支持される。つまり、ペーパーＰを、平面視前方凹状（湾曲状）に保持する。また、ペーパーＰの湾曲部Ｑの背面と、平坦面11ａと傾斜面12ａの折れ曲がり部と、の間に空間が形成されるようにペーパーＰは大きく湾曲する。
【００２３】
ここで、押圧面21ａの第２左右幅寸法Ｗ２は、平坦面11ａの第１左右幅寸法Ｗ１未満に形成しているので、中央壁部11の平坦面11ａの左右内方側を押圧し、中央壁部11の左右側辺（耳壁部12の傾斜面12ａの折れ曲がり延設開始位置）では、ペーパーＰを押圧しない。また、第２挟持部材２の押圧壁部21は、傾斜面12ａ側へ、ペーパーＰを押圧しない。つまり、ペーパーＰは平坦な面によってのみ押圧されて挟持される。したがって、ペーパーＰの湾曲部Ｑは、無理に屈折されることなく、緩やかに湾曲する。ペーパーＰに挟持跡といった皺や折れ曲がり跡の発生を防止する。
【００２４】
また、図７及び図８に示すように、第２挟持部材２を第１挟持部材１に対してスライドさせることで、ペーパーＰ（図７及び図８に於ては、図示省略する）の前面側を上方へ向かせる。支持傾倒角度αを９５度から１３０度の範囲で寝かせるように（後方傾倒状に）調節自在となる。使用者の所望の支持傾倒角度αに設定可能となる。
【００２５】
ここで、スライド移動（支持傾斜角度α調整）の際、外力により、又は、自重によって戻ろうとする力Ｆ１を、スプリング５によって発生させる摩擦力で受け、第２挟持部材２のスライドの戻りを防止する。使用者の所望の位置で、第２挟持部材２のスライドを無段階に停止可能にする。
【００２６】
また、スプリング５の一方端５ａが折曲げ形成されているため、スプリング５が背面２ａにひっかかることなく、第２挟持部材２はスムーズに摺動（スライド）する。
【００２７】
そして、図１に示すように、縦方向の折れ線のような挟持跡をつけることなく、ペーパーＰの表示面（前面）を使用者に確実に表示する。また、上下方向に長い、又は、左右方向に長いものであっても、湾曲状に保持されることでコシと張りを付与して剛性を高めて、タレたりさせることなく起立状姿勢を保持する。また、使用者の所望の支持傾倒角度α、又は、ペーパーＰの材質や形状にあった支持傾倒角度αをもって挟持する。
【００２８】
次に本発明の他の実施の形態のペーパースタンドを説明する。
図９に示すように、第２挟持部材２の前面に設ける表示部20を、動物、キャラクター、乗物、建物等の形状に前方突出状に立体形成している。さらに、第１挟持部材１の平坦面11ａ及び傾斜面12ａ，12ａの正面視の外形線（外殻線）を、その立体形状の正面視の外殻線状、又は、その立体形状に関係のある形状に形成しているものである。
例えば、第２挟持部材２の表示部20が、コアラの立体形状であれば第１挟持部材１側をコアラの耳の形状や、ユーカリの木の形状にする。表示部20が飛行機であれば第１挟持部材１側を雲の形状にする。表示部20が仏像であれば第１挟持部材１側をお堂や屏風等の形状にする。このように形成することで、机やタンス等の上に飾り用の置物としての付加価値が得られる。
【００２９】
なお、本発明は設計変更可能であって、第１挟持部材１及び第２挟持部材２の材質は、樹脂、金属、陶磁器（焼き物）等自由である。また、後脚部13及び前脚部22の下面に設けた、滑り止め部材30を、磁石、吸盤、粘着部材等の吸着部材から成るように構成して、冷蔵庫や棚等の側面に設置可能としても良い。また、図１乃至図８に示した実施の形態に於て、表示部20を動物、キャラクター、乗物、建物等の形状に前方突出状に立体形成しても良い。また、表示部20に直接に筆記具等にて文字・図形等を描くようにしたり、印刷しても良い。
【００３０】
以上のように、本発明のペーパースタンドは、枢支ピン３を介して枢着されると共に、相互に共働きしてペーパーＰを挟持する第１挟持部材１及び第２挟持部材２を備えたペーパースタンドであって、上記枢支ピン３の軸心Ｌ廻りに回転力を付与して、第１挟持部材１及び第２挟持部材２に挟持力を発生させるスプリング５を有し、第１挟持部材１は、ペーパーＰの背面を支持する平坦面11ａを有する中央壁部11、及び、中央壁部11の左右側辺から前方へ折曲げ状に延設した傾斜状の耳壁部12，12を有し、第２挟持部材２は、ペーパーＰの前面に当接して、平坦面11ａに押圧する平坦な押圧面21ａを背面２ａに有するので、書類等のペーパーＰに皺や折り目をつけることなく、確実に支持できる。ペーパーＰを、皺や折り目をつけることなく湾曲状に保持して、挟持されていない部分を起立状に支持（自立保持）できる。特に、樹脂フィルムといった、折れ目がつき易く、平面に戻すのが困難な素材から成るペーパーＰの場合に、折れ目や屈折及び白化や塑性変形を防止して挟持できる。
【００３１】
また、上記枢支ピン３が挿通される第２挟持部材２の枢支孔23ａを長孔に形成して、第２挟持部材２を第１挟持部材１に対してスライド自在に設けたので、平坦面11ａと押圧面21ａの挟み代（量）を調整でき、ペーパーＰの表示面の下端部を第２挟持部材２で大きく隠すことなく挟持できる。人の目線にあった所望の支持傾倒角度αに調整できる。複雑な機構や、部品を省略して支持傾倒角度αの調整機能を容易かつ安価に得ることができる。
【００３２】
また、スプリング５は、平坦面11ａ方向へ押圧面21ａを弾発付勢して、第２挟持部材２のスライドを無段階に停止可能な摩擦力を発生させる停止機能を兼備しているので、枢支孔23ａに枢支ピン３が入り込むような位置決め用の段付部、凹溝、波部、歯車やラックといた複雑な停止機能付の位置決め機構を省略（簡素化）でき、容易かつ安価に製作できる。しかも、無段階で第２挟持部材２のスライドの位置決め（支持傾倒角度α）を調整できる。また、スライド自在なペーパースタンドを小型化できる。
【符号の説明】
【００３３】
１  第１挟持部材
２  第２挟持部材
２ａ  背面
３  枢支ピン
５  スプリング  
11  中央壁部
11ａ  平坦面
12  耳壁部  
12ａ  傾斜面
21ａ  押圧面
23ａ  枢支孔
Ｌ  軸心
Ｐ  ペーパー
【図１】
2011025413.tif 000003
【図２】
2011025413.tif 000004
【図３】
2011025413.tif 000005
【図４】
2011025413.tif 000006
【図５】
2011025413.tif 000007
【図６】
2011025413.tif 000008
【図７】
2011025413.tif 000009
【図８】
2011025413.tif 000010
【図９】
2011025413.tif 000011